(57)【要約】【課題】吸収性物品から排泄物が漏れてしまう恐れを軽減させることを目的とする。【解決手段】吸収性物品（１）は、幅狭部（１２１ｎ）を備えた吸収体（１２１）と、固定部（５５）と起立部（５６）を有する防漏壁（５０）を備えた吸収性本体（１０）と、前側胴回り部（２０）と、後側胴回り部（３０）を有し、一方側胴回り部（２０）は、幅狭部（１２１ｎ）の非肌側、且つ、上下方向で幅狭部（１２１ｎ）と重なり、吸収性本体（１０）の肌側シート部（１２２ａ）の非肌側面又は非肌側シート部（１２２ｂ）の肌側面は、幅狭部（１２１ｎ）の外側方且つ一方側胴回り部の下端より上方に、接着剤（１２２Ｈａ、１２２Ｈｂ）が塗布され、固定部（５５）は吸収体（１２１）に肌側から重なり、一方側胴回り部（２０）の下端と、幅狭部（１２１ｎ）の側端（１２１ｓ）との交点（１２１ｕ）を基準として、左右方向で、起立部（５６）の起立開始部位（５９）は、交点（１２１ｕ）よりも外側に位置する。【選択図】図７
2019037351.tif 000002
【特許請求の範囲】
【請求項１】
互いに交差する上下方向と左右方向と前後方向を有し、
高吸収性ポリマーを有する吸収体と、前記吸収体の肌側に位置する肌側シート部と、前記吸収体の非肌側に位置する非肌側シート部と、防漏壁弾性部材を備えた一対の防漏壁とを備えた吸収性本体と、
前側胴回り部、及び後側胴回り部と、
を有し、
前記吸収体は、前記左右方向の側端が凹形状を有する幅狭部を備えており、
前記防漏壁は、肌側に起立不能な固定部と、肌側に起立可能な起立部を有する吸収性物品であって、
前記前側胴回り部、及び前記後側胴回り部のうちの少なくとも一方側の一方側胴回り部は、前記幅狭部の非肌側に重なっており、且つ、前記上下方向において前記幅狭部の少なくとも一部と重なっており、
前記肌側シート部の非肌側面又は前記非肌側シート部の肌側面には、前記幅狭部の外側方且つ前記一方側胴回り部の下端より上方において、接着剤が塗布されており、
前記固定部の少なくとも一部は、前記吸収体に肌側から重なっており、
前記一方側胴回り部の下端と、前記幅狭部の前記側端との交点を基準として、前記左右方向において、前記起立部の起立開始部位は、前記交点よりも外側に位置することを特徴とする吸収性物品。
【請求項２】
請求項１に記載の吸収性物品において、
前記一方側胴回り部は、前記左右方向に沿った胴回り弾性部材を有しており、
前記胴回り弾性部材の少なくとも一部は、前記左右方向において、前記幅狭部の前記側端を跨いで設けられていることを特徴とする吸収性物品。
【請求項３】
請求項２に記載の吸収性物品において、
前記胴回り弾性部材の少なくとも一部は、前記防漏壁弾性部材と交差していることを特徴とする吸収性物品。
【請求項４】
請求項１に記載の吸収性物品において、
前記一方側胴回り部は、前記左右方向に沿った胴回り弾性部材を有しており、
前記胴回り弾性部材及び前記防漏壁弾性部材を伸長させた伸長状態において、
前記一方側に位置する前記側端のうち前記凹形状を形成する部分の上端である凹形状上端を基準として、前記凹形状上端より下側に位置する前記胴回り弾性部材は、前記左右方向において、前記凹形状上端よりも内側に設けられていないことを特徴とする吸収性物品。
【請求項５】
請求項１から４のいずれか１項に記載の吸収性物品において、
前記防漏壁弾性部材を伸長させた伸長状態において、
前記上下方向における、前記一方側に位置する前記側端のうち前記凹形状を形成する部分の上端である凹形状上端から、前記一方側胴回り部の下端までの長さが、
前記左右方向における、前記一方側胴回り部の下端と前記側端との交点と、前記凹形状上端までの長さよりも長いことを特徴とする吸収性物品。
【請求項６】
請求項１から５のいずれか１項に記載の吸収性物品において、
前記防漏壁弾性部材を伸長させた伸長状態において、
前記一方側に位置する前記側端のうち凹形状を形成する部分である凹形状上端と、前記一方側胴回り部の下端との間における前記側端は、前記上下方向に対して傾斜していることを特徴とする吸収性物品。
【請求項７】
請求項１から６のいずれか１項に記載の吸収性物品において、
前記一方側において、
前記幅狭部の上端は、前記固定部の下端よりも下側に設けられていることを特徴とする吸収性物品。
【請求項８】
請求項１から７のいずれか１項に記載の吸収性物品において、
前記防漏壁弾性部材を伸長させた伸長状態において、
前記左右方向において、前記防漏壁の内側の端が、前記交点よりも内側にあることを特徴とする吸収性物品。
【請求項９】
請求項１から８のいずれか１項に記載の吸収性物品において、
前記防漏壁弾性部材を伸長させた伸長状態において、
前記防漏壁は、前記固定部を肌側に起立不能とするための接着部を備え、
前記接着部は、前記吸収体の側端よりも内側に設けられていることを特徴とする吸収性物品。
【請求項１０】
請求項１から９のいずれか１項に記載の吸収性物品において、
前記防漏壁弾性部材を伸長させた伸長状態において、
前記防漏壁は、前記固定部を肌側に起立不能とするための接着部を備え、
前記接着部の面積は、前記固定部の面積から前記接着部の面積を減じた面積よりも大きいことを特徴とする吸収性物品。
【請求項１１】
請求項１から１０のいずれか１項に記載の吸収性物品において、
前記一方側胴回り部は、前記左右方向に沿った複数の胴回り弾性部材を有しており、
前記胴回り弾性部材及び前記防漏壁弾性部材を伸長させた伸長状態において、
前記複数の胴回り弾性部材のうち、前記一方側胴回り部の最も下側に位置する第１胴回り弾性部材と、前記第１胴回り弾性部材に前記上下方向に隣接する第２胴回り弾性部材との間の長さより、
前記一方側胴回り部の下端から前記第１胴回り弾性部材との間の長さの方が長いことを特徴とする吸収性物品。
【請求項１２】
請求項１から１１のいずれか１項に記載の吸収性物品において、
前記防漏壁弾性部材を伸長させた伸長状態において、
前記防漏壁弾性部材は、前記起立部に、第１防漏壁弾性部材と第２防漏壁弾性部材を有しており、
前記第１防漏壁弾性部材と前記第２防漏壁弾性部材が離間していることを特徴とする吸収性物品。
【請求項１３】
互いに交差する上下方向と左右方向と前後方向を有し、
高吸収性ポリマーを有する吸収体と、前記吸収体の肌側に位置する肌側シート部と、前記吸収体の非肌側に位置する非肌側シート部と、防漏壁弾性部材を備えた一対の防漏壁とを備えた吸収性本体と、
前側胴回り部、及び後側胴回り部と、
を有し、
前記吸収体は、前記左右方向の側端が凹形状を有する幅狭部を備えており、
前記防漏壁は、肌側に起立不能な固定部と、肌側に起立可能な起立部を有する吸収性物品であって、
前記前側胴回り部、及び前記後側胴回り部のうちの少なくとも一方側の一方側胴回り部は、前記幅狭部の非肌側に重なっており、且つ、前記上下方向において前記幅狭部の少なくとも一部と重なっており、
前記固定部の少なくとも一部は、前記吸収体に肌側から重なっており、
前記一方側胴回り部は、前記左右方向に沿った胴回り弾性部材を有しており、
前記一方側胴回り部の下端と、前記幅狭部の前記側端との交点を基準として、前記左右方向において、前記起立部の起立開始部位は、前記交点よりも外側に位置し、
前記胴回り弾性部材の少なくとも一部は、前記左右方向において、前記幅狭部の前記側端を跨いで設けられていることを特徴とする吸収性物品。
【発明の詳細な説明】
【技術分野】
【０００１】
本発明は、吸収性物品に関する。
【背景技術】
【０００２】
従来、パンツ型使い捨ておむつ等の吸収性物品が知られている。吸収性物品はより安価であることが望まれており、吸収性物品を安価にする方法の１つとして、吸収体（吸収性コア）のパルプ繊維等の液体吸収性繊維等の目付量などの量を削減する方法がある。例えば、特許文献１のように、パンツ型使い捨ておむつ１に吸収性コア５に括れ部５ｃを設けて、吸収性コア５内のパルプ繊維等の繊維の集合体等を削減することが開示されている。
【先行技術文献】
【特許文献】
【０００３】
【特許文献１】特開２０１３−１３６８３号公報
【発明の概要】
【発明が解決しようとする課題】
【０００４】
しかし、特許文献１のようなパンツ型使い捨ておむつ１には、液体吸収性繊維が削減された吸収性コア５では排泄物を十分に吸収することができない場合があり、パンツ型使い捨ておむつ１から排泄物が漏れてしまう恐れがあった。
【０００５】
本発明は、上記のような問題に鑑みてなされたものであって、吸収体の液体吸収性繊維等の量を減らしながら、吸収性物品から排泄物が漏れる恐れをより軽減させることを目的とする。
【課題を解決するための手段】
【０００６】
上記目的を達成するための主たる発明は、互いに交差する上下方向と左右方向と前後方向を有し、高吸収性ポリマーを有する吸収体と、前記吸収体の肌側に位置する肌側シート部と、前記吸収体の非肌側に位置する非肌側シート部と、防漏壁弾性部材を備えた一対の防漏壁とを備えた吸収性本体と、前側胴回り部、及び後側胴回り部と、を有し、前記吸収体は、前記左右方向の側端が凹形状を有する幅狭部を備えており、前記防漏壁は、肌側に起立不能な固定部と、肌側に起立可能な起立部を有する吸収性物品であって、前記前側胴回り部、及び前記後側胴回り部のうちの少なくとも一方側の一方側胴回り部は、前記幅狭部の非肌側に重なっており、且つ、前記上下方向において前記幅狭部の少なくとも一部と重なっており、前記肌側シート部の非肌側面又は前記非肌側シート部の肌側面には、前記幅狭部の外側方且つ前記一方側胴回り部の下端より上方において、接着剤が塗布されており、前記固定部の少なくとも一部は、前記吸収体に肌側から重なっており、前記一方側胴回り部の下端と、前記幅狭部の前記側端との交点を基準として、前記左右方向において、前記起立部の起立開始部位は、前記交点よりも外側に位置することを特徴とする吸収性物品である。
本発明の他の特徴については、本明細書及び添付図面の記載により明らかにする。
【発明の効果】
【０００７】
このようなパンツ型吸収性物品によれば、吸収性本体と胴回り部が厚さ方向に重なっている領域で幅狭部を有する吸収体が排泄物を吸収した場合でも、吸収性物品の外側に排泄物が漏れてしまう恐れを軽減させることができる。
【図面の簡単な説明】
【０００８】
【図１】図１は、パンツ型使い捨ておむつ１の概略斜視図である。
【図２】図２は、展開状態且つ伸長状態のおむつ１を肌側面側から見た概略平面図である。
【図３】図３は、図２中のＡ−Ａ矢視で示す概略断面図である。
【図４】図４Ａは、図２中のＢ１−Ｂ１矢視で示す概略断面図である。図４Ｂは、図２中のＢ２−Ｂ２矢視で示す概略断面図である。図４Ｃは、図２中のＢ３−Ｂ３矢視で示す概略断面図である。
【図５】図５は、図２の概略平面図の構成を説明する概略図である。
【図６】図６Ａは、吸収性本体１０及び脚回り部６０の形成方法を説明する図である。図６Ｂは、図６Ａ中のＤ−Ｄ矢視で示す概略断面図である。
【図７】図７Ａは、図２中のＢ１−Ｂ１矢視で示す領域における吸収性本体１０が排泄物を吸収する前後の態様について説明する模式図である。図７Ｂは、図２中のＢ２−Ｂ２矢視で示す領域における吸収性本体１０が排泄物を吸収する前後の態様について説明する模式図である。
【発明を実施するための形態】
【０００９】
本明細書及び添付図面の記載により、少なくとも以下の事項が明らかとなる。
互いに交差する上下方向と左右方向と前後方向を有し、高吸収性ポリマーを有する吸収体と、前記吸収体の肌側に位置する肌側シート部と、前記吸収体の非肌側に位置する非肌側シート部と、防漏壁弾性部材を備えた一対の防漏壁とを備えた吸収性本体と、前側胴回り部、及び後側胴回り部と、を有し、前記吸収体は、前記左右方向の側端が凹形状を有する幅狭部を備えており、前記防漏壁は、肌側に起立不能な固定部と、肌側に起立可能な起立部を有する吸収性物品であって、前記前側胴回り部、及び前記後側胴回り部のうちの少なくとも一方側の一方側胴回り部は、前記幅狭部の非肌側に重なっており、且つ、前記上下方向において前記幅狭部の少なくとも一部と重なっており、前記肌側シート部の非肌側面又は前記非肌側シート部の肌側面には、前記幅狭部の外側方且つ前記一方側胴回り部の下端より上方において、接着剤が塗布されており、前記固定部の少なくとも一部は、前記吸収体に肌側から重なっており、前記一方側胴回り部の下端と、前記幅狭部の前記側端との交点を基準として、前記左右方向において、前記起立部の起立開始部位は、前記交点よりも外側に位置することを特徴とする吸収性物品である。
【００１０】
このようなパンツ型吸収性物品によれば、吸収性本体と胴回り部が厚さ方向に重なっている領域で幅狭部を有する吸収体が排泄物を吸収した場合でも、吸収性物品の外側に排泄物が漏れてしまう恐れを軽減させることができる。
【００１１】
かかる吸収性物品であって、前記一方側胴回り部は、前記左右方向に沿った胴回り弾性部材を有しており、前記胴回り弾性部材の少なくとも一部は、前記左右方向において、前記幅狭部の前記側端を跨いで設けられていることを特徴とする吸収性物品ことが望ましい。
【００１２】
このような吸収性物品によれば、比較的剛性が高い吸収性本体が、左右方向の略中央で非肌側に凸となるように折れ曲がってしまう恐れを軽減させて、吸収性本体をより身体にフィットさせやすくすることができる。
【００１３】
かかる吸収性物品であって、前記胴回り弾性部材の少なくとも一部は、前記防漏壁弾性部材と交差していることが望ましい。
【００１４】
このような吸収性物品によれば、比較的剛性が高い吸収性本体が、左右方向の略中央で非肌側に凸となるように折れ曲がってしまう恐れをより軽減させて、吸収性本体をより身体にフィットさせやすくすることができる。
【００１５】
かかる吸収性物品であって、前記一方側胴回り部は、前記左右方向に沿った胴回り弾性部材を有しており、前記胴回り弾性部材及び前記防漏壁弾性部材を伸長させた伸長状態において、前記一方側に位置する前記側端のうち前記凹形状を形成する部分の上端である凹形状上端を基準として、前記凹形状上端より下側に位置する前記胴回り弾性部材は、前記左右方向において、前記凹形状上端よりも内側に設けられていないことが望ましい。
【００１６】
このような吸収性物品によれば、左右方向の外側が起立部によって内側が幅狭部によってそれぞれ区画され、且つ、肌側が起立部によって非肌側が一方側胴回り部によってそれぞれ区画された空間（以下、「防漏空間」ともいう。）が、潰されてしまって、この空間に排泄物をとどめることができなくなってしまうことを軽減させることができる。
【００１７】
かかる吸収性物品であって、前記防漏壁弾性部材を伸長させた伸長状態において、前記上下方向における、前記一方側に位置する前記側端のうち前記凹形状を形成する部分の上端である凹形状上端から、前記一方側胴回り部の下端までの長さが、前記左右方向における、前記一方側胴回り部の下端と前記側端との交点と、前記凹形状上端までの長さよりも長いことが望ましい。
【００１８】
このような吸収性物品によれば、防漏空間に収容された排泄物が、股下方向に向かって流れ出てしまう恐れを軽減させることができる。
【００１９】
かかる吸収性物品であって、前記防漏壁弾性部材を伸長させた伸長状態において、前記一方側に位置する前記側端のうち凹形状を形成する部分である凹形状上端と、前記一方側胴回り部の下端との間における前記側端は、前記上下方向に対して傾斜していることが望ましい。
【００２０】
このような吸収性物品によれば、防漏空間において、吸収体の側端が上下方向に対して平行な場合よりも、吸収体の側端の長さが長くなるため、排泄物が吸収体に接触する面積を増やすことができるため、より排泄物を吸収しやすくなる。
【００２１】
かかる吸収性物品であって、前記一方側において、前記幅狭部の上端は、前記固定部の下端よりも下側に設けられていることが望ましい。
【００２２】
このような吸収性物品によれば、吸収体が排泄物を吸収して膨らんだときに、防漏空間が大きくなるようにすることができる。
【００２３】
かかる吸収性物品であって、前記防漏壁弾性部材を伸長させた伸長状態において、前記左右方向において、前記防漏壁の内側の端が、前記交点よりも内側にあることが望ましい。
【００２４】
このような吸収性物品によれば、防漏壁が、吸収体の端より左右方向の外側まで吸収体を覆っているため、吸収体が排泄物を吸収した場合に、排泄物が吸収性物品の外側に漏れてしまう恐れを軽減することができる。
【００２５】
かかる吸収性物品であって、前記防漏壁弾性部材を伸長させた伸長状態において、前記防漏壁は、前記固定部を肌側に起立不能とするための接着部を備え、前記接着部は、前記吸収体の側端よりも内側に設けられていることが望ましい。
【００２６】
このような吸収性物品によれば、吸収体が排泄物を吸収して膨らんだときに、防漏空間を、より形成しやすくすることができる。
【００２７】
かかる吸収性物品であって、前記防漏壁弾性部材を伸長させた伸長状態において、股前記防漏壁は、前記固定部を肌側に起立不能とするための接着部を備え、前記接着部の面積は、前記固定部の面積から前記接着部の面積を減じた面積よりも大きいことが望ましい。
【００２８】
このような吸収性物品によれば、接着部の面積が、固定部の面積から接着部の面積を減じた面積よりも小さい場合よりも、吸収体が排泄物を吸収して膨らんだときに、防漏空間を、より形成しやすくすることができる。
【００２９】
かかる吸収性物品であって、前記一方側胴回り部は、前記左右方向に沿った複数の胴回り弾性部材を有しており、前記胴回り弾性部材及び前記防漏壁弾性部材を伸長させた伸長状態において、前記複数の胴回り弾性部材のうち、前記一方側胴回り部の最も下側に位置する第１胴回り弾性部材と、前記第１胴回り弾性部材に前記上下方向に隣接する第２胴回り弾性部材との間の長さより、前記一方側胴回り部の下端から前記第１胴回り弾性部材との間の長さの方が長いことが望ましい。
【００３０】
このような吸収性物品によれば、一方側胴回り部の下端から第１胴回り弾性部材までの間は、第１胴回り弾性部材と第２胴回り弾性部材との間よりも長いために、防漏空間に排泄物がより入り込みやすくなっている一方、より短い長さを有する第１胴回り弾性部材と第２胴回り弾性部材との間は、防漏空間に入り込んだ排泄物が外に漏れ出てしまう恐れをより軽減させることができる。
【００３１】
かかる吸収性物品であって、前記防漏壁弾性部材を伸長させた伸長状態において、前記防漏壁弾性部材は、前記起立部に、第１防漏壁弾性部材と第２防漏壁弾性部材を有しており、前記第１防漏壁弾性部材と前記第２防漏壁弾性部材が離間していることが望ましい。
【００３２】
このような吸収性物品によれば、離れた位置に設けられた防漏壁弾性部材によって、防漏壁弾性部材の起立状態において、着用者の肌に防漏壁を面で接触させやすくなり、肌触りを向上させることができる。
【００３３】
互いに交差する上下方向と左右方向と前後方向を有し、高吸収性ポリマーを有する吸収体と、前記吸収体の肌側に位置する肌側シート部と、前記吸収体の非肌側に位置する非肌側シート部と、防漏壁弾性部材を備えた一対の防漏壁とを備えた吸収性本体と、前側胴回り部、及び後側胴回り部と、を有し、前記吸収体は、前記左右方向の側端が凹形状を有する幅狭部を備えており、前記防漏壁は、肌側に起立不能な固定部と、肌側に起立可能な起立部を有する吸収性物品であって、前記前側胴回り部、及び前記後側胴回り部のうちの少なくとも一方側の一方側胴回り部は、前記幅狭部の非肌側に重なっており、且つ、前記上下方向において前記幅狭部の少なくとも一部と重なっており、前記固定部の少なくとも一部は、前記吸収体に肌側から重なっており、前記一方側胴回り部は、前記左右方向に沿った胴回り弾性部材を有しており、前記一方側胴回り部の下端と、前記幅狭部の前記側端との交点を基準として、前記左右方向において、前記起立部の起立開始部位は、前記交点よりも外側に位置し、前記胴回り弾性部材の少なくとも一部は、前記左右方向において、前記幅狭部の前記側端を跨いで設けられていることを特徴とする吸収性物品である。
【００３４】
このようなパンツ型吸収性物品によれば、吸収性本体と胴回り部が厚さ方向に重なっている領域で幅狭部を有する吸収体が排泄物を吸収した場合でも、吸収性本体の外側に排泄物が漏れてしまう恐れを軽減させることができる。
【００３５】
＝＝＝実施形態＝＝＝
本発明に係る吸収性物品として「パンツ型使い捨ておむつ」を例に挙げて以下の実施形態を説明する。本実施形態のパンツ型使い捨ておむつは乳幼児用としても大人用としても利用可能である。また、本発明に係るパンツ型吸収性物品は使い捨ておむつ以外にも、例えば生理用のショーツ型ナプキンとしても利用可能である。
【００３６】
＝＝＝パンツ型使い捨ておむつの基本構成＝＝＝
図１は、パンツ型使い捨ておむつ１（以下「おむつ１」という）の概略斜視図である。図２は、展開状態且つ伸長状態のおむつ１を肌側面側から見た概略平面図である。図３は、図２中のＡ−Ａ矢視で示す概略断面図である。「展開状態」とは、おむつ１の両側部の、前側胴回り部（「腹側胴回り部」ともいう。）２０の側部２０ａと後側胴回り部３０（「背側胴回り部」ともいう。）の側部３０ａとの接合をそれぞれ分離し、開いておむつ１全体を平面的に展開した状態である。「伸長状態」とは、おむつ１の皺が視認できなくなる程度まで、おむつ１が備える弾性部材を伸長させた状態を示す。具体的には、おむつ１を構成する各部材（例えば、後述する前側胴回り部２０等）の寸法がその部材単体の寸法と一致又はそれに近い寸法になるまで伸長させた状態を示す。図２中のＣ−Ｃ線は左右方向における中心線である。図３では、便宜上、接着剤を省略して示している。
【００３７】
図１に示すように、パンツ型のおむつ１は上下方向と左右方向と前後方向とを有し、おむつ１には胴回り開口部ＢＨ及び一対の脚回り開口部ＬＨが形成されている。上下方向において、胴回り開口部ＢＨ側を上側とし、着用者の股下となる側を下側とする。図２の状態（展開かつ伸長状態）のおむつ１の上下方向を「長手方向」、長手方向の一方側を「腹側」、他方側を「背側」ともいい、長手方向における略中央部Ｃ１０側を「下側」ともいう。前後方向において、着用者の腹側となる側を前側とし、着用者の背側となる側を後側とする。また、おむつ１は図３に示すように厚さ方向を有し、厚さ方向において着用者に接触する側を肌側とし、その逆側を非肌側とする。
【００３８】
おむつ１は、所謂３ピースタイプであり、吸収性本体１０と前側胴回り部２０、後側胴回り部３０とを有する。前側胴回り部２０は、着用者の腹側部を覆い、後側胴回り部３０は、着用者の背側部を覆う。吸収性本体１０は平面視略長方形形状である。図３に示すように、吸収性本体１０の腹側上端部１０ｆと背側上端部１０ｂは、それぞれ胴回り部２０、３０の肌側面と重ね合されている。なお、腹側上端部１０ｆは、吸収性本体１０の腹側の端部であり、胴回り部２０と重なった部分をいう。背側上端部１０ｂは、吸収性本体１０の背側の端部であり、後側胴回り部３０と重なった部分をいう。前側胴回り部２０、後側胴回り部３０は平面視略長方形状であり、その長手方向が左右方向に沿っている。
【００３９】
図２の展開状態にて示されるように、おむつ１は、中心線Ｃ−Ｃに対して左右対称な形状を有している。吸収性本体１０の腹側上端部１０ｆ、背側上端部１０ｂの非肌側面と胴回り部２０、３０の肌側面とを接着剤等（不図示）により接合し、図２に示す展開状態から、前側胴回り部２０と後側胴回り部３０とが対向するように吸収性本体１０を二つ折りし、前側胴回り部２０の左右方向の両側部２０ａと後側胴回り部３０の左右方向の両側部３０ａとを接合することにより、おむつ１はパンツ型となる。
【００４０】
前側胴回り部２０及び後側胴回り部３０はそれぞれ、不織布等の柔軟な２枚のシート（２１と２１、３１と３１）と、左右方向に伸縮する糸ゴム等の複数の胴回り弾性部材２２、３２とを備える。複数の胴回り弾性部材２２、３２は、上下方向に間隔を空けて並んで配されるとともに、左右方向に伸長した状態で２枚のシート（２１と２１、３１と３１）の間に固定されている。したがって、前側胴回り部２０及び後側胴回り部３０は左右方向に伸縮可能であり、着用者の胴回りにフィットする。
【００４１】
図４Ａは、図２中のＢ１−Ｂ１矢視で示す概略断面図である。図４Ｂは、図２中のＢ２−Ｂ２矢視で示す概略断面図である。図４Ｃは、図２中のＢ３−Ｂ３矢視で示す概略断面図である。図４Ａ、図４Ｂ、及び図４Ｃは、厚さ方向に関して構成を理解しやすいように寸法を適宜変更して示している。図４Ａ、図４Ｂ及び図４Ｃに示すように、吸収性本体１０は、厚さ方向の肌側から順に、トップシート１１と、吸収体ユニット１２と、バックシート１３、外装シート１４とを備え、それぞれホットメルト等の接着剤によって接着されている。トップシート１１は液透過性シートであればよく、親水性のエアスルー不織布やスパンボンド不織布等を例示できる。バックシート１３は液不透過性シートであればよく、ポリエチレンフィルムやポリプロピレンフィルム、疎水性のＳＭＳ不織布等を例示できる。トップシート１１及びバックシート１３は吸収体ユニット１２全体を覆う大きさとする。外装シート１４は、液透過性シートでも液不透過性シートでもよく、疎水性のＳＭＳ不織布等を例示できる。ただし、本実施形態では外装シート１４によって防漏壁部５０が形成されるため、外装シート１４は液不透過性の素材で構成されることが好ましい。
【００４２】
吸収体ユニット１２は、平面視略矩形形状であり、液体を吸収する吸収性コア（単に「吸収体」ともいう。）１２１と、吸収性コア１２１の外周面を被覆するコアラップシート１２２とを備える。液体吸収性素材としては、パルプ繊維等の液体吸収性繊維に高吸収性ポリマー（所謂ＳＡＰ）等が含有されている。コアラップシート１２２としては、ティッシュペーパーや不織布等の液透過性シートを例示できる。
【００４３】
コアラップシート１２２のうち、吸収性コア１２１の肌側に位置する肌側シート部１２２ａには肌側接着剤１２２Ｈａが設けられており、吸収性コア１２１の非肌側に位置する非肌側シート部１２２ｂには、非肌側接着剤１２２Ｈｂが設けられている。本実施形態において、肌側接着剤Ｈａは肌側シート部１２２ａの略全域に設けられ、非肌側接着剤１２２Ｈｂは非肌側シート１２２ｂの略全域に設けられているが、必ずしも各シート部１２２ａ、１２２ｂの全域に設ける必要はない。肌側シート部１２２ａ又は非肌側シート部１２２ｂの少なくとも一方に、接着剤１２２Ｈａ、１２２Ｈｂのいずれかを設ける構成であってもよい。また、本実施形態においては、少なくとも、前側胴回り部２０の下端よりも上方で、且つ、幅狭部１２１ｎ（後述）より外側に、肌側接着剤１２２Ｈａ、非肌側接着剤１２２Ｈｂを設ける構成であってもよい。つまり、少なくとも、図４Ｂに示す、前側胴回り部２０の下端より上側における幅狭部１２１ｎが設けられた吸収性コア１２１より外側に接着剤１２２Ｈａ又は１２２Ｈｂを設ける構成でもよい。なお、吸収性コア１２１と接している肌側シート部１２２ａ及び非肌側シート部１２２ｂにおいては、吸収性コア１２１と各シート部１２２ａ、１２２ｂが分離して、着用時に着用時のフィット感を阻害したり、吸収性コア１２１の所定の形状が崩れてしまったりする恐れを軽減させる程度に、接着していることが好ましい。
【００４４】
吸収性コア１２１は、液体吸収性素材が所定の形状に成形されたものである。具体的には、図２に示すように、吸収性コア１２１の長手方向の中央部をくびれさせて、左右方向の長さを短くして、左右方向の側端１２１ｓに凹形状の幅狭部１２１ｎを形成して、略砂時計形状としている。幅狭部１２１ｎは、背側よりも腹側により多く形成しており、幅狭部１２１ｎの最も狭い部分１２１ｍは、長手方向における略中央部Ｃ１０よりも上側に位置している。吸収性コア１２１の側端１２１ｓのうち、凹形状を形成する部分の上端となる凹形状上端１２１ｔは、前側胴回り部２０の下端よりも上側で、エンド接合部５２（後述）の下端よりも下側に設けられている。また、前側胴回り部２０の下端と吸収性コア１２１の側端１２１ｓとの交点１２１ｕは、凹形状上端１２１ｔよりも左右方向の内側に設けられている。
【００４５】
なお、前側胴回り部２０の肌側面には、幅狭部１２１ｎの非肌側面が重ねられており、前側胴回り部２０は、「一方側の胴回り部」ともいう。また、後側胴回り部３０には、幅狭部１２１ｎは重ねられていない。
【００４６】
また、吸収性本体１０は、一対の防漏壁部５０と脚回り部６０を備える。詳細は後述するが、本実施形態では図４Ａ〜図４Ｃや図５Ａ等に示すように外装シート１４の左右方向の両側部が折り返され、折り返された外装シート１４の左右方向の内側の端部が、防漏壁部（「防漏壁」ともいう。）５０を形成し、左右方向の外側の端部は脚回り部６０を形成している。
【００４７】
一対の防漏壁部５０は、所謂立体ギャザーであり、吸収性本体１０の長手方向に沿って、吸収体ユニット１２の左右方向の両側部に設けられている。各防漏壁部５０は、防漏壁部５０を形成する外装シート１４をトップシート１１やバックシート１３に接合する一対のエンド接合部５２と、長手方向（おむつ１の上下方向）に伸縮する複数の防漏壁弾性部材５１を備えるとともに、肌側に起立不能な固定部５５と、肌側に起立可能な起立部５６を備える。また、脚回り部６０は、サイド接合部５３と、長手方向に伸縮する脚回り弾性部材６１を備える。
【００４８】
図５は、図２の概略平面図の構成を説明する概略図である。図５においては、図２の概略平面図から胴回り弾性部材２２、３２等を省略して示している。一対のエンド接合部５２及び一対のサイド接合部５３は、ホットメルト接着剤等の接着剤で接合している部分である。なお、エンド接合部５２及びサイド接合部５３の接合は、接着剤による固定に限らず、圧搾や圧着等により固定を行ってもよい。
【００４９】
一対のエンド接合部５２は、吸収性本体１０の長手方向の両端部に配置されており、固定部５５を肌側に起立不能とするための「接着部」である。エンド接合部５２は、長手方向において、吸収性本体１０の端から吸収体ユニット１２の上側端部に重なる位置まで設けられている。
【００５０】
一対のサイド接合部５３は、吸収性本体１０の長手方向の一端から他端まで設けられており、且つ、エンド接合部５２よりも左右方向の外側に２つずつ配置され、それぞれ左右方向の内側に位置するサイド接合部５３ａと、左右方向の外側に位置するサイド接合部５３ｂを備えている。防漏壁部５０は、防漏壁弾性部材５１の収縮によって、サイド接合部５３ａに左右方向内側から隣接する部分を基点に着用者側（厚さ方向の肌側）に起立可能となる。防漏壁部５０のうち、前側胴回り部２０の側の上端からエンド接合部５２の下端まで、及び後側胴回り部３０の側の上端からエンド接合部５２の下端までの各領域が固定部５５である。つまり、防漏壁部５０のうち、前側胴回り部２０の側におけるエンド接合部５２の下端より下側で、且つ、後側胴回り部３０の側におけるエンド接合部５２の下端より下側の領域が起立部５６である。この防漏壁部５０によって横流れした排泄物が堰き止められる。なお、防漏壁弾性部材５１は、１本でも防漏壁部５０を形成することができるが、おむつ１のように複数本の防漏壁弾性部材５１をそれぞれ離間させて設けることが好ましい。複数本の防漏壁弾性部材５１によって、防漏壁部５０の起立状態では、着用者の肌に防漏壁部５０を面で接触させやすくなるため、肌触りを向上させることができる。
【００５１】
なお、前側胴回り部２０、後側胴回り部３０、防漏壁部５０、及び脚回り部が備える弾性部材（２２、３２、５１、６１）として糸ゴム等の糸状の弾性部材を例示しているがこれに限らない。糸ゴムの代わりに、例えば伸縮性フィルムや伸縮性不織布等のシート状の弾性部材を単数又は複数配してもよい。また、図面には弾性部材のうち伸縮性を発現する部位（所謂有効長の部位）のみを示す。そのため図示する弾性部材の長手方向の外側に伸縮性を発現しない弾性部材の部位が存在していてもよい。また、弾性部材の配置や本数も図示する構成に限らない。
【００５２】
＝＝＝防漏壁部５０及び脚回り部６０の形成方法＝＝＝
次に、吸収性本体１０の一対の防漏壁部５０の形成方法について図６Ａ及び図６Ｂを参照しながら簡単に説明する。図６Ａは、吸収性本体１０及び脚回り部６０の形成方法を説明する図である。図６Ｂは、図６Ａ中のＤ−Ｄ矢視で示す概略断面図である。
【００５３】
図６Ａにおいて、吸収性コア１２１の幅狭部１２１ｎの領域を右斜め下の３本斜線で示している。この幅狭部１２１ｎのうち最も左右方向の長さが短い部分１２１ｍは長手方向における略中央部Ｃ１０よりも腹側に位置している。
【００５４】
まず、図６Ａ及び図６Ｂの左側に示すように、外装シート１４の左右方向の内側の両側部に防漏壁部５０用の３本の防漏壁弾性部材５１を長手方向に伸長した状態で固定する。その後、防漏壁部５０用の防漏壁弾性部材５１が固定された左右方向の位置を折り位置ｆ１として、外装シート１４の左右方向の両側部が厚さ方向の肌側（左右方向の内側）に折り返す。
【００５５】
次に、図６Ａ及び図６Ｂの右側に示すように、２層になっている外装シート１４の部位の肌側面であって折り位置ｆ２よりも左右方向の外側の部位に、防漏壁部５０のエンド接合部５２及びサイド接合部５３を形成するための接着剤を塗布する。そして、外装シート１４の肌側面であってサイド接合部５３よりも左右方向の内側の部位に、３本の脚回り弾性部材６１を長手方向に伸長した状態で固定する。その後、外装シート１４の左右方向の中央部に、バックシート１３と、トップシート１１が配置された吸収体ユニット１２とが重ねられ接合される。
【００５６】
最後に、吸収体ユニット１２と左右方向の内側に位置しているサイド接合部５３ｂの間の折り位置ｆ２にて、外装シート１４の左右方向の両側部をトップシート１１よりも厚さ方向の肌側に折り返して、図２等に示す吸収性本体１０となる。折り重ねられた外装シート１４において、サイド接合部５３のうち、左右方向の内側に設けられたサイド接合部５３ａの内側の側端から外側の領域は脚回り部６０となり、サイド接合部５３ａの内側の側端より内側の領域は、防漏壁部５０となる。
【００５７】
＝＝＝排泄物を吸収した際の吸収性本体１０の態様について＝＝＝
図７Ａは、図２中のＢ１−Ｂ１矢視で示す領域における吸収性本体１０が排泄物を吸収する前後の態様について説明する模式図である。図７Ｂは、図２中のＢ２−Ｂ２矢視で示す領域における吸収性本体１０が排泄物を吸収する前後の態様について説明する模式図である。図７Ａは、エンド接合部５２（固定部５５）の下端における吸収性本体１０の断面を示しており、図７Ｂは、前側胴回り部２０の下端における吸収性本体１０の断面を示している。図７Ａ及び図７Ｂにおいて、それぞれ左側は排泄物を吸収する前の吸収性本体１０を示しており、それぞれ右側は排泄物を吸収した後の吸収性本体１０を示している。なお、図７Ａ及び図７Ｂは、それぞれ模式図であり、寸法や縮尺等は必ずしも正確ではない。
【００５８】
通常、乳幼児等のおむつ１の着用者が、おむつ１を着用した状態で排泄を行うと、股下部付近の吸収体ユニット１２によって排泄物が吸収される。おむつ１をより安価にするために、吸収性コア１２１のパルプ繊維等の液体吸収性繊維等の量を削減する場合があり、図２等に示すように、吸収性コア１２１の左右方向の側端が凹形状となる幅狭部１２１ｎを有する略砂時計形状とする場合がある。吸収性コア１２１に幅狭部１２１ｎを形成することで、比較的剛性の高い吸収性コア１２１が、着用者の股下における脚の動きを制限してしまうという恐れを減少させるという利点がある。
【００５９】
しかしながら、液体吸収性繊維が減少すると、排泄時においては、股下部における吸収性コア１２１においては、排泄物を吸収しきれずに、前側胴回り部２０側又は後側胴回り部３０側に排泄物が流れてしまう恐れがある。特に、勢いよく流れた排泄物が、吸収性本体１０と、前側胴回り部２０又は後側胴回り部３０と重なった部分から防漏壁を超えておむつの外側に流れ出てしまう恐れがあった。
【００６０】
この点、本実施形態のおむつ１においては、図７Ｂに示す防漏空間Ｐを形成することで、排泄物がおむつ１の外側に漏れてしまう恐れを軽減させることができる。以下、防漏空間Ｐについて説明する。
【００６１】
排泄物を吸収する前のおむつ１の吸収性コア１２１は、図７Ａ及び図７Ｂのそれぞれ左側に示すように、排泄物等を吸収していないため膨張していない。このとき、図７Ａの左側に示すように、吸収体ユニット１２に厚さ方向に重ねられている防漏壁部５０は、エンド接合部５２によって、固定部５５が設けられている（図５）。つまり、防漏壁部５０は、固定部５５において吸収体ユニット１２に固定されている。なお、図７Ａにおける吸収性コア１２１には、幅狭部１２１ｎは設けられていない。
【００６２】
一方、図７Ｂの左側に示すように、吸収体ユニット１２に厚さ方向に重ねられている防漏壁部５０は、エンド接合部５２によって固定されておらず、肌側に起立可能な起立部５６が設けられている。防漏壁部５０が肌側に起立することで、排泄物を堰き止める壁となる。また、幅狭部１２１ｎが設けられており、図７Ａに示す吸収性コア１２１よりも左右方向の長さが短い。そのため、着用状態等において、起立部５６が肌側に起立することで、左右方向の外側が起立部５６によって内側が幅狭部１２１ｎによってそれぞれ区画され、且つ、肌側が起立部５６によって非肌側が前側胴回り部２０によってそれぞれ区画された防漏空間Ｐｘが形成される。つまり、この防漏空間Ｐｘは、防漏壁部５０と吸収性コア１２１と前側胴回り部２０で区画された空間である。なお、図７Ｂに示すおむつ１は、外装シート１４が前側胴回り部２０に接着されて一体となっているため、防漏壁部５０と吸収性コア１２１と外装シート１４とで区画された防漏空間Ｐｘは、防漏壁部５０と吸収性コア１２１と前側胴回り部２０で区画されているといえる。なお、図１、図２及び図５では、起立部５６が起立した際に形成される防漏空間Ｐの位置を実線で示している。
【００６３】
また、幅狭部１２１ｎの左右方向の外側には、コアラップシート１２２同士が接着した領域が設けられていることが好ましい。具体的には、肌側シート部１２２ａと非肌側シート部１２２ｂとが、それぞれ接着剤によって接着されていることが好ましい。この肌側シート部１２２ａと非肌側シート部１２２ｂは、おむつ１の製造時において必ずしも接着している必要はない。着用時において肌側シート部１２２ａと非肌側シート部１２２ｂとが接着していればよく、例えば、おむつ１を製造した状態では肌側シート部１２２ａと非肌側シート部１２２ｂは分離しており、包装材に収容した際の圧力や、着用時における着用者の肌との密着によって接着してもよい。
【００６４】
なお、防漏壁部５０と脚回り部６０との境界、具体的には、左右方向の内側に位置するサイド接合部５３ａの内側の端に内側から隣接する部位を起立開始部位５９という。防漏壁部５０は、起立開始部位５９を起点にして肌側に起立している。起立開始部位５９は、起立部５６の全長に亘って設けられており、長手方向に沿った部分である。図５、図７Ｂ等に示すように、起立開始部位５９は、前側胴回り部２０の下端と吸収性コア１２１（幅狭部１２１ｎ）の側端１２１ｓとの交点１２１ｕよりも外側に位置している。また、おむつ１においては、前側胴回り部２０と吸収性本体１０とが重ねられた領域において、起立開始部位５９は、左右方向において、吸収性コア１２１（幅狭部１２１ｎ）の側端よりも外側に位置している。
【００６５】
図７Ｂの左側の図に示すように、交点１２１ｕを基準として、左右方向において、起立部５６の起立開始部位５９が交点１２１ｕよりも外側に位置することで、左右方向において、幅狭部１２１ｎの側端と防漏壁部５０の起立開始部位５９との間に所定の距離を設けることができる。吸収性コア１２１の側端１２１ｓと起立開始部位５９との間に距離を設けない場合、防漏空間Ｐを形成できなかったり、十分な大きさを確保することができなかったりしてしまう。そのため、左右方向において、起立開始部位５９が交点１２１ｕよりも外側に位置することで、防漏空間Ｐの大きさを確保することができる。
【００６６】
続いて、排泄物を吸収した後のおむつ１の吸収性本体１０は、図７Ａ及び図７Ｂのそれぞれ右側に示すように、吸収性コア１２１が排泄物等を吸収して膨張している。本実施形態においては、吸収性コア１２１は、パルプ繊維等とＳＡＰとを含んでいるため、排泄物を吸収すると膨張する傾向がある。
【００６７】
図７Ａの右側に示す、エンド接合部５２の下端における吸収性本体１０の左右方向断面は、吸収性コア１２１が排泄物の吸収によって膨らんでいる。図２Ａ等に示すように、防漏壁部５０はそれぞれ長手方向（上下方向）に連続したシート部材であるため、防漏壁部５０のどこか一部が肌側に上昇すると、起立開始部位５９を起点として、起立部５６が肌側に上昇する。このとき、図７Ａとは異なり、図７Ｂに示す防漏壁部５０は吸収性コア１２１に固定されていないため、直接的に吸収性コア１２１の膨張によって防漏壁部５０が上昇するものではない。しかし、吸収性コア１２１に固定された固定部５５によって、防漏壁部５０の一部が肌側に持ち上げられると、前側胴回り部２０の下端に位置する起立部５６を肌側に上昇させて防漏空間Ｐｙに拡大させることができる。
【００６８】
仮に、防漏壁部５０が、吸収体ユニット１２（吸収性コア１２１）に固定されていないと、排泄物を吸収した吸収性コア１２１、吸収体ユニット１２だけが肌側に上昇してしまい、防漏壁部５０を肌側に上昇させることができず、排泄物を吸収して吸収性コア１２１が膨張した場合でも、防漏空間Ｐを拡大させることができなくなってしまう。
【００６９】
おむつ１は、防漏壁部５０が肌側に上昇することによって、排泄物を吸収する前の防漏空間Ｐｘよりも大きい防漏空間Ｐｙとすることができるため、例え、排泄物が勢いよく前側胴回り部２０に向かって流れてきた場合でも、より多くの排泄物を防漏空間Ｐｙに貯留することができるため、おむつ１の外側に排泄物が漏れてしまう恐れを軽減させることができる。
【００７０】
このとき、吸収体ユニット１２の肌側シート部１２２ａと非肌側シート部１２２ｂとが接着していることで、吸収性コア１２１が左右方向に膨張することを軽減させることができる。これによって、防漏壁部５０と吸収性コア１２１と外装シート１４で区画された防漏空間Ｐｙが左右方向により広く形成することができるため、防漏空間Ｐｙをより広くすることができ、排泄物をより多く貯留することができる。
【００７１】
さらに、一定量以上の排泄物を吸収して吸収性コア１２１が膨張した場合や、ホットメルト接着剤等の接着剤の粘着力が水分によって低下した場合には、肌側シート部１２２ａと非肌側シート部１２２ｂとの接着が剥離されることがある。このときには、吸収性コア１２１は、左右方向にも膨張する状態となり、防漏空間Ｐに貯留された排泄物がより早く吸収性コア１２１によって吸収されやすくなる。
【００７２】
防漏空間Ｐに排泄物を貯留することによって、前側胴回り部２０側から排泄物が漏れてしまう恐れを軽減させることができる。なお、防漏空間Ｐに貯留された排泄物は、時間をかけて隣接する吸収性コア１２１に吸収させることができる。なお、おむつ１の防漏空間Ｐは、前側胴回り部２０と前後方向で重なっている領域に設けられているため、防漏空間Ｐに流れ出た排泄物は、前側胴回り部２０や着用者の身体による圧迫によって、隣接する吸収性コア１２１への吸収が促される。
【００７３】
さらに、おむつ１の胴回り弾性部材２２の一部が、左右方向において、幅狭部１２１ｎの側端を跨ぐ位置に設けられていることが好ましい。おむつ１においては、前側胴回り部２０の左右方向の一方側で、且つ、下端部において、胴回り弾性部材２２が、前側胴回り部２０の左右方向の端部から、幅狭部１２１ｎの側端よりも左右方向の内側まで設けられている。また、このとき、胴回り弾性部材２２の一部と防漏壁弾性部材５１とが交差していることがより好ましい。これによって、着用時において、比較的剛性が高い吸収性本体１０が、左右方向の略中央部で非肌側に突出して凸となるように折れ曲がってしまうことを、胴回り弾性部材２２の収縮によって軽減させることができる。
【００７４】
また、図６に示すように、伸長状態のおむつ１において、吸収性コア１２１の凹形状上端１２１ｔから、前側胴回り部２０の下端までの上下方向の長さＴとし、前側胴回り部２０の下端と吸収性コア１２１の側端１２１ｓとの交点１２１ｕと凹形状上端１２１ｔまでの左右方向の長さＳとすると、長さＴは長さＳより長いことが好ましい（Ｔ＞Ｓ）。つまり、防漏空間Ｐの上下方向の長さが、左右方向の長さよりも長いことが好ましい。そのため、一旦防漏空間Ｐに貯留された排泄物は、毛細管現象の原理で、左右方向の長さがより短い領域に流れ込みやすくなるため、上下方向のより上側で排泄物を貯留しやすくなる。そのため、股下部から防漏空間Ｐ内に流れ込んだ排泄物が、再び股下部に戻ってしまう恐れを軽減させることができる。
【００７５】
さらに、図２Ａに示すように、伸長状態のおむつ１において、前側胴回り部２０の胴回り弾性部材２２のうち、下側から順に第１胴回り弾性部材２２ａ、第２胴回り弾性部材２２ｂとすると、第１胴回り弾性部材２２ａと第２胴回り弾性部材２２ｂとの間の長さＬ１より、第１胴回り弾性部材２２ａと前側胴回り部２０の下端までの長さの方が長いＬ２ことが好ましい（Ｌ１＜Ｌ２）。このようにすることで、前側胴回り部５０の下端から第１胴回り弾性部材２２ａまでの間は、第１胴回り弾性部材２２ａと第２胴回り弾性部材２２ｂとの間よりも長いので、防漏空間Ｐに排泄物が入り込みやすくなる。一方、より短い長さを有する第１胴回り弾性部材２２ａと第２胴回り弾性部材２２ｂとの間は、防漏空間Ｐに入り込んだ排泄物が外に漏れ出てしまう恐れをより軽減させることができる。
【００７６】
図２Ａ等に示すように、伸長状態のおむつ１において、吸収性コア１２１の凹形状上端１２１ｔと前側胴回り部２０の下端との間における吸収性コア１２１の側端１２１ｓは、上下方向に対して傾斜していることが好ましい。おむつ１においては、凹形状上端１２１ｔと交点１２１ｕとの間の側端１２１ｓが、上側から下側に向かうにつれて、左右方向の外側から内側に向かって傾斜しているため、上下方向に平行な場合よりも長さが長くなっている。これによって、図５等に示すように、防漏空間Ｐとなる領域に面した吸収性コア１２１の表面積を増やすことができるため、防漏空間Ｐ内に入り込んだ排泄物が接触する吸収性コア１２１の領域を増やすことができ、排泄物をより吸収しやすくなる。
【００７７】
また、図２Ａ等に示すように、伸長状態のおむつ１の左右方向において、防漏壁部５０の内側の端が交点１２１ｕよりも内側であることが好ましい。つまり、交点１２１ｕより上側の領域において、吸収性コア１２１の側端１２１ｓは、防漏壁部５０で覆われていることが好ましい。これによって、吸収性コア１２１が排泄物を吸収した場合に、排泄物がおむつ１の外側に漏れてしまう恐れを軽減させることができる。
【００７８】
さらに、上述のように、幅狭部１２１ｎの上端、つまり凹形状上端１２１ｔが、エンド接合部５２の下端よりも下側に設けられていることが好ましい。凹形状上端１２１ｔは、防漏空間Ｐの上端となる部分である（図５等参照）。また、エンド接合部５２と上下方向に重なる防漏壁部５０の領域は、固定部５５であるため、例えば、凹形状上端１２１ｔをエンド接合部５２の下端よりも上側に設けると、防漏空間Ｐが固定部５５によって固定されてしまうため、防漏空間Ｐが狭められてしまう恐れがある。このことから、凹形状上端１２１ｔをエンド接合部５２の下端よりも下側に設けることで、吸収性コア１２１が排泄物を吸収して膨張した場合に、防漏空間Ｐが、膨張した吸収性コア１２１によって遮られてしまう恐れを軽減して、防漏空間Ｐをより大きくすることができる。
【００７９】
また、図２Ａ等に示すように、伸長状態のおむつ１のエンド接合部５２が、吸収性コア１２１の側端１２１ｓよりも内側に設けられていることが好ましい。おむつ１は、吸収性コア１２１の上部において、エンド接合部５２が側端１２１ｓより内側であることで、吸収性コア１２１が排泄物を吸収して膨らんだときに、防漏空間Ｐをより形成しやすくすることができる。
【００８０】
さらに、図６に示すように、伸長状態のおむつ１のエンド接合部５２の面積は、固定部５５の面積からエンド接合部５２の面積を減じた面積よりも大きい（エンド接合部５２の面積＞固定部５５の面積−エンド接合部５２の面積）ことがより好ましい。エンド接合部５２の面積が、固定部５５の面積からエンド接合部５２の面積を減じた面積よりも小さい場合よりも、吸収性コア１２１が排泄物を吸収して膨らんだときに、防漏空間Ｐをより形成しやすくすることができる。
【００８１】
また、おむつ１は、胴回り弾性部材２２を備えた前側胴回り部２０と、後側胴回り部３０と、吸収性コア１２１と、肌側シート部１２２ａと、非肌側シート部１２２ｂと、防漏壁弾性部材５１を備えた一対の防漏壁部５０を有し、吸収性コア１２１が幅狭部１２１ｎを備え、防漏壁部５０が固定部５５と起立部５６を備え、前側胴回り部２０が幅狭部１２１ｎの非肌側に重なり、且つ上下方向において幅狭部１２１ｎの一部と重なり、固定部５５の一部が吸収性コア１２１に肌側から重なるものである。さらに、前側胴回り部２０の下端と、幅狭部１２１ｎとの交点１２１ｕを基準として、左右方向において、起立部５６の起立開始部位５９を交点１２１ｕよりも外側に設け、胴回り弾性部材２２の一部を左右方向において、側端１２１ｓを跨ぐように設けている。これによって、おむつ１は、前側胴回り部２０と吸収性本体１０とが厚さ方向に重なっている領域で幅狭部１２１ｎを有する吸収性コア１２１が排泄物を吸収した場合でも、おむつ１の外側に排泄物が漏れてしまう恐れを軽減しつつ、比較的剛性が高い吸収性本体１０が、左右方向の略中央部で非肌側に凸となるように折れ曲がってしまう恐れを軽減させて、吸収性本体１０をより身体にフィットさせやすくすることができる。
【００８２】
＝＝＝その他の実施の形態＝＝＝
以上、本発明の実施形態について説明したが、上記の実施形態は、本発明の理解を容易にするためのものであり、本発明を限定して解釈するためのものではない。また、本発明は、その趣旨を逸脱することなく、変更や改良され得るとともに、本発明にはその等価物が含まれるのはいうまでもない。例えば、以下に示すような変形が可能である。
【００８３】
上述の実施形態においては、前側胴回り部２０側に防漏空間Ｐを形成して排泄物の漏れを防止したが、これに限られない。後側胴回り部３０を一方側の胴回り部として防漏空間Ｐを形成してもよいし、前側胴回り部２０と後側胴回り部３０の両方に防漏空間Ｐを形成してもよい。後側胴回り部３０に防漏空間Ｐを形成することで、後側胴回り部３０における排泄物の漏れを防止することができる。
【００８４】
上述の実施形態においては、凹形状上端１２１ｔより上側だけでなく下側にも胴回り弾性部材２２を配置したが、これに限られない。伸長状態のおむつ１の凹形状上端１２１ｔより下側の領域において、凹形状上端１２１ｔの左右方向の内側の領域に、胴回り弾性部材２２を配置しないことにしてもよい。つまり、防漏領域Ｐと前後方向で重なる領域に、胴回り弾性部材２２を配置しないことであってもよい。これによって、胴回り弾性部材２２によって防漏空間Ｐが潰されてしまって、防漏空間Ｐに排泄物を留めることができなくなってしまう恐れを軽減させることができる。
【符号の説明】
【００８５】
１  おむつ（パンツ型使い捨ておむつ、吸収性物品）、
１０  吸収性本体、
１０ｆ  腹側上端部、１０ｂ  背側上端部、
１１  トップシート、
１２  吸収体ユニット、
１２１  吸収性コア、
１２１ｎ  幅狭部、１２１ｓ  側端、
１２１ｔ  凹形状上端、１２１ｕ  交点、
１２２  コアラップシート、
１２２ａ  肌側シート部、１２２ｂ  非肌側シート部、
１２２Ｈａ  肌側接着剤、１２２Ｈｂ  非肌側接着剤、
１３  バックシート、１４  外装シート、
２０  前側胴回り部（一方側の胴回り部）、２０ａ  側部、
２１  シート、２２  胴回り弾性部材、
３０  後側胴回り部、３０ａ  側部、
３１  シート、３２  胴回り弾性部材、
５０  防漏壁部（防漏壁）、５１  防漏壁弾性部材、
５２  エンド接合部（接着部）、５３  サイド接合部、
５５  固定部、５６  起立部、
５９  起立開始部位、
６０  脚回り部、６１  脚回り弾性部材、
ＬＨ  脚回り開口部、ＢＨ  胴回り開口部、
Ｐ  防漏空間
【図１】
2019037351.tif 000003
【図２】
2019037351.tif 000004
【図３】
2019037351.tif 000005
【図４】
2019037351.tif 000006
【図５】
2019037351.tif 000007
【図６】
2019037351.tif 000008
【図７】
2019037351.tif 000009